(57)【要約】      （修正有）【課題】底径の異なるスプールに交換したり、下糸を巻回したりエコノマイザーを装着した場合等、あらゆるスプール条件に対応した糸長計測が可能な魚釣用リールを提供する。【解決手段】リール本体に回転可能に支持されたスプールと、スプールの回転数と回転方向を検出する回転検出手段と、釣糸をスプールへ巻き始めて所定量巻き取った際に回転検出手段で検出されたスプール回転数と釣糸の当該所定量，釣糸をスプールに巻き始めてから総て巻き終わるまでに回転検出手段で検出されたスプール総回転数，巻き終わり位置から釣糸を所定量繰り出しまたは追加の巻取りをした際に回転検出手段で検出されたスプール回転数と釣糸の当該繰出し量または巻取り量とで決定される糸長計算式を有し、実釣時に回転検出手段で検出されるスプールの実回転数と決定された糸長計算式とで糸長を演算，計測する糸長計測装置と、糸長計測装置で計測された糸長を表示する表示器を備えた。【選択図】図２
2006304650.tif 000002
【特許請求の範囲】
【請求項１】
リール本体に回転可能に支持されたスプールと、
当該スプールの回転数と回転方向を検出する回転検出手段と、
釣糸をスプールへ巻き始めて所定量巻き取った際に当該回転検出手段で検出されたスプール回転数と釣糸の当該所定量，釣糸をスプールに巻き始めてから総て巻き終わるまでに回転検出手段で検出されたスプール総回転数，巻き終わり位置から釣糸を所定量繰り出しまたは追加の巻取りをした際に回転検出手段で検出されたスプール回転数と釣糸の当該繰出し量または巻取り量とで決定される糸長計算式を有し、実釣時に回転検出手段で検出されるスプールの実回転数と決定された当該糸長計算式を基に糸長を演算，計測する糸長計測装置と、
当該糸長計測装置で計測された糸長を表示する表示器と、
を備えたことを特徴とする魚釣用リール。
【請求項２】
リール本体に回転可能に支持されたスプールと、
当該スプールの回転数と回転方向を検出する回転検出手段と、
釣糸をスプールに巻き始めてから総て巻き終わるまでに回転検出手段で検出されたスプール総回転数，巻き終わり位置から釣糸を所定量繰り出した際に回転検出手段で検出されたスプール回転数と釣糸の当該繰出し量，更に釣糸を所定量繰り出した際に回転検出手段で検出されたスプール回転数と釣糸の当該繰出し量とで決定される糸長計算式を有し、実釣時に回転検出手段で検出されるスプールの実回転数と決定された当該糸長計算式を基に糸長を演算，計測する糸長計測装置と、
当該糸長計測装置で計測された糸長を表示する表示器と、
を備えたことを特徴とする魚釣用リール。                                                                                
【発明の詳細な説明】
【技術分野】
【０００１】
本発明は、スプールの回転数から釣糸の繰出し量や巻取り量を計測する糸長計測装置を備えた魚釣用リールに関する。
【背景技術】
【０００２】
釣糸の繰出し量やスプールへの巻取り量を計測して正確な棚取りが行えるように、従来、殆どの船釣用の魚釣用リール（両軸リール）には糸長計測装置が備えられており、昨今では、スプールフリー性能向上の面から、スプールに巻回される釣糸の外周面（釣糸巻回面）に接触するローラ型糸長計測器をリール本体に装着する方式に代え、スプール回転数検出に基づく糸長計測方式を採用したものが主流となっている。
【０００３】
そして、このような糸長計測装置として、特許文献１に開示されたものが知られている。
この糸長計測装置は、スプールにその釣糸最大巻径より巻糸径の小さな規定巻径レベルを設定し、当該規定巻径レベルまで釣糸が巻き取られた際のスプールの回転数と、巻糸全長に対応するスプールの総回転数とをアップ・ダウンカウンタで計数して、これらの計数値を基に糸長計算式の定数を決定した後、釣糸の繰出し，巻取りで回転するスプールの実回転数を基に糸長計算式で糸長を演算，計測してこれを表示器に表示するもので、糸長計算式は、釣糸の巻き始めとなるスプールの底径が基礎データとして予めデータ入力されている。
【０００４】
而して、この糸長計測装置によれば、釣糸の長さや太さに関係なく繰出し量や巻取り量を高精度に計測することが可能となった。
【特許文献１】特開平５−１０３５６７号公報
【発明の開示】
【発明が解決しようとする課題】
【０００５】
しかし、実際の釣りでは、スプールに巻回されている釣糸を総て使用することはなく、釣人は、スプールに糸径の異なる下糸を巻いたりエコノマイザー（釣糸補助枠）を装着して、その上に実際に使用する釣糸（上糸）を所定量巻回して釣りを行うことが多く、また、形状が異なり底径の異なるスプールに交換することも多い。
このため、釣糸の巻き始めとなるスプールの底径を糸長計算式の基礎データとする特許文献１の糸長計測装置は、斯様に釣糸の巻き始め径が異なるスプール（交換した形状の異なるスプール，下糸を巻回したスプール，エコノマイザーを装着したスプール等）を多用する実釣に対応することができず、その使用に制約があった。
【０００６】
本発明は斯かる実情に鑑み案出されたもので、底径の異なるスプールに交換したり、下糸を巻回したりエコノマイザーを装着した場合等、あらゆるスプール条件に対応した糸長計測が可能な糸長計測装置を備えた魚釣用リールを提供することを目的とする。
【課題を解決するための手段】
【０００７】
斯かる目的を達成するため、請求項１に係る魚釣用リールは、リール本体に回転可能に支持されたスプールと、当該スプールの回転数と回転方向を検出する回転検出手段と、釣糸をスプールへ巻き始めて所定量巻き取った際に当該回転検出手段で検出されたスプール回転数と釣糸の当該所定量，釣糸をスプールに巻き始めてから総て巻き終わるまでに回転検出手段で検出されたスプール総回転数，巻き終わり位置から釣糸を所定量繰り出しまたは追加の巻取りをした際に回転検出手段で検出されたスプール回転数と釣糸の当該繰出し量または巻取り量とで決定される糸長計算式を有し、実釣時に回転検出手段で検出されるスプールの実回転数と決定された当該糸長計算式を基に糸長を演算，計測する糸長計測装置と、当該糸長計測装置で計測された糸長を表示する表示器とを備えたことを特徴とする。
【０００８】
そして、請求項２に係る魚釣用リールは、リール本体に回転可能に支持されたスプールと、当該スプールの回転数と回転方向を検出する回転検出手段と、釣糸をスプールに巻き始めてから総て巻き終わるまでに回転検出手段で検出されたスプール総回転数，巻き終わり位置から釣糸を所定量繰り出した際に回転検出手段で検出されたスプール回転数と釣糸の当該繰出し量，更に釣糸を所定量繰り出した際に回転検出手段で検出されたスプール回転数と釣糸の当該繰出し量とで決定される糸長計算式を有し、実釣時に回転検出手段で検出されるスプールの実回転数と決定された当該糸長計算式を基に糸長を演算，計測する糸長計測装置と、当該糸長計測装置で計測された糸長を表示する表示器とを備えたものである。
【発明の効果】
【０００９】
請求項１及び請求項２に係る発明によれば、釣糸の巻き始めとなるスプールの底径を基礎データとしていた従来の糸長計測装置に代え、任意の糸巻き終わり径から糸長計算式のデータ入力を可能としたので、形状の異なるスプールに交換したり、下糸を巻回したりエコノマイザーを装着した場合等でも使用可能で、あらゆるスプール条件に対応した糸長計測が１つの魚釣用リールで可能となった。
【発明を実施するための最良の形態】
【００１０】
以下、本発明の実施形態を図面に基づいて詳細に説明する。
図１及び図２は請求項１に係る発明の一実施形態を示し、図１に於て、１，３はフレーム５の左右に取り付く側板で、両側板１，３とフレーム５によってリール本体７が構成され、両側板１，３間にスプール軸９を介してスプール１１が回転可能に支持されている。  而して、スプール軸９はスプール１１の軸心を貫通し、その側板１側の一端が、軸受１３を介して当該側板１に回転可能に支持されている。
【００１１】
そして、側板３側に突出するスプール軸９には、当該スプール軸９に設けたクラッチ係合部１５に係脱可能なピニオン１７が回転可能且つその軸方向へスライド可能に取り付けられており、側板３側に装着したクラッチレバー１９の操作でこれらのクラッチ係合を係脱させると、スプール１１がスプールフリー状態と巻取り可能状態とに切り換わるようになっている。
【００１２】
また、図中、２１はハンドル、２３は当該ハンドル２１が連結されたハンドル軸で、ハンドル軸２３の挿入先端部は図示しない軸受部材を介してフレーム５に回転可能に取り付けられている。そして、その挿入先端側に図示しないクラッチ復帰ギヤ等からなる周知の復帰機構が設けられており、ハンドル２１の釣糸巻取り方向への回転操作によっても、スプール１１がスプールフリー状態から巻取り可能状態に切り換わるように構成されている。
【００１３】
更にハンドル軸２３には、ピニオン１７に噛合するドライブギヤ２５が回転可能に取り付けられている。そして、ドライブギヤ２５とハンドル軸２３は、従来周知のドラグ装置２７で摩擦結合されており、ハンドル２１の回転力が、当該ドラグ装置２７を介してドライブギヤ２５，ピニオン１７からスプール軸９に伝達されてスプール１１が回転し、クラッチレバー１７によるクラッチＯＦＦの操作でクラッチ係合部１５とピニオン１７とのクラッチ係合が解除されて、既述したようにスプール１１がスプールフリー状態に切り換わるようになっている。
【００１４】
一方、図１中、２９はスプール１１の回転数とその回転方向を検出する回転検出手段で、当該回転検出手段２９は、フレーム５に装着されたホール素子３１と、これに対向してスプール１１の一端側に固着されたマグネット３３とで構成されており、図２に示すようにホール素子３１はマイクロコンピュータ３５の入力インターフェース３７に接続されている。そして、マイクロコンピュータ３５は、ホール素子３１から出力されるスプール１１の正転，逆転の判定信号を入力インターフェース３７を介してＣＰＵ３９に取り込むことで、内蔵のアップ・ダウンカウンタ４１をアップカウントまたはダウンカウント状態にセットして、取り込まれるスプール１１の回転パルス信号をカウントするようになっている。
【００１５】
そして、ＣＰＵ３９は、斯かる計数値を基に、以下に記述する糸長計測プログラムで釣糸（上糸４３）の糸長（繰出し量や巻取り量）を演算，計測して、その演算結果を、制御ボックス４５の操作パネル４７上に設けた表示器４９に表示駆動回路５１を介して表示させるようになっている。
図１に示すように制御ボックス４５は、リール本体７の上部に水密性を以って取り付けられており、その上面の操作パネル４７上に、前記表示器４９に加え、モード切換えスイッチ５３とリセットスイッチ５５が設けられ、制御ボックス４５内にマイクロコンピュータ３５が収容されている。
【００１６】
而して、図２は本実施形態に係る魚釣用リールに装着した糸長計測装置の構成図を示し、図中、３５は糸長演算，糸長表示及びデータの書込み制御を行うマイクロコンピュータで、マイクロコンピュータ３５は、プログラムメモリ，データメモリ及び入出力装置を制御管理して、与えられたジョブを処理すべく必要な演算，転送処理を実行するＣＰＵ３９と、演算処理プログラム及び後述する糸長計算式を格納したＲＯＭ５７と、ＣＰＵ３９での演算結果等のデータを記憶するＲＡＭ５９と、入力インターフェース３７及び出力インターフェース６１とを備え、ＣＰＵ３９，ＲＯＭ５７，ＲＡＭ５９，入力インターフェース３７及び出力インターフェース６１はバス６３を介してＣＰＵ３９に接続されている。
【００１７】
そして、入力インターフェース３７には、マイクロコンピュータ３５を「データ入力モード」と「実釣モード」とに切り換えるモード切換えスイッチ５３とリセットスイッチ５５が接続されている。
また、出力インターフェース６１には表示駆動回路５１を介して表示器４９が接続されており、図１に示すように表示器４９は、糸長をデジタル表示する表示部６５を備えている。
【００１８】
そして、上述したようにＲＯＭ５７に糸長計算式が格納されているが、特許文献１の従来例では、図３に示すようにスプールａの回転数と、このスプールａに巻かれた釣糸ｂの巻外周径及び糸長の関係が設定されており、図中、
Ｄ：釣糸ｂが規定巻径レベルｃまで巻き取られた際の巻糸径（ｍｍ）
Ｄｏ：スプールａの底径（ｍｍ）
Ｄ１：釣糸ｂが最後まで巻き取られた際の巻糸全長径（ｍｍ）
Ｈ：規定巻径レベルｃまでのスプールａの溝深さ（ｍｍ）
を示している。
【００１９】
そして、この従来例では、釣糸ｂが規定巻径レベルｃまで巻回された際に、先ず、その巻径レベルｃまでのスプールａの回転数Ｎを入力し、次に、釣糸ｂがスプールａに最後まで巻回された際の巻糸全長径Ｄ１に対するスプールａの総回転数Ｎｅを入力して、マイクロコンピュータのＲＯＭに格納された糸長計算式
Ｌ＝ｄＮａ2 ＋ｅＮａ・・・[1]
Ｌ：糸長（ｍｍ）
Ｎａ：実釣時のスプールａの実回転数
ｄ＝−πＨ／Ｎ：定数  ・・・[2]
ｅ＝π（Ｄｏ＋２ＨＮｅ／Ｎ）：定数  ・・・[3]
Ｎｅ：巻糸全長に対するスプールａの総回転数
Ｎ：規定巻径レベルｃまで釣糸ｂを巻回したときのスプールａの回転数
の定数ｄ，ｅを決定した後、スプールａの実回転数Ｎａに応じた糸長Ｌを演算，計測するものである。
【００２０】
尚、巻径レベルｃまでのスプールａの回転数Ｎや巻糸全長径Ｄ１までのスプールａの総回転数Ｎｅ，スプールａの実回転数Ｎａは、夫々、回転検出手段とアップ・ダウンカウンタで計数されて、各計数値がマイクロコンピュータのＲＡＭに格納されるようになっていた。
しかし、既述したようにこの従来例は、釣糸ｂの巻き始めとなるスプールａの底径Ｄｏを糸長計算式[1]の基礎データとするため、交換した形状の異なるスプールや下糸を巻回したスプール，エコノマイザーを装着したスプール等、釣糸の巻き始め径が異なるスプールを多用する実釣に対応することができなかった。
【００２１】
そこで、本実施形態は、斯かる実情に鑑み、上記糸長計算式[1]〜[3]の基本式を次のように読み替えることで、任意の糸巻径からの入力を可能としたものである。
即ち、図２のマイクロコンピュータ３５のＲＯＭ５７には、
Ｌ＝＋π（Ｄｓ＋２ＨＮｅ／Ｎ）Ｎａ−πＨ／Ｎ×Ｎａ2 ・・・[4]
の糸長計算式[4]が格納されている。
【００２２】
尚、この糸長計算式[4]に於て、
Ｌ：糸長（ｍｍ）
Ｈ：規定線高さ（ｍｍ）＝初期設定（便宜上の値）
Ｎａ：実釣時のスプール実回転数
Ｎｅ：上糸４３全部を巻くのに要するスプール総回転数
Ｄｓ：上糸４３の糸巻き始め径（ｍｍ）
Ｎｓ：ＤｓからＴ1ｍｍ巻くのに要するスプール回転数
Ｎｆ：ＮｅからＴ2ｍｍ繰り出すのに要するスプール回転数
Ｔ1，Ｔ2：Ｎｓ，Ｎｆを決定するための所定糸長（ｍｍ）
Ｎ：規定線まで上糸４３を巻いたときのスプール回転数
を示し、Ｈ，Ｔ1，Ｔ2は事前に設定した値（スプール状態とは無関係な任意の値で可）で、Ｔ1とＴ2は同一の値でもよい。そして、Ｎｅ，Ｎｓ，Ｎｆは測定により入力する値、Ｄｓ，Ｎはこれらの数値から算出される値である。また、図２中、Ｄｏはスプール１１の底径を示す。
【００２３】
次に、上記糸長計算式[4]へのデータ入力を、図４のフローチャートに基づいて説明する。
先ず、スプール１１に下糸を総て巻き取る（ステップＳ１）。図２に示すように下糸を総て巻き終わった径が、上糸４３の糸巻き始め径Ｄｓである。但し、下糸は巻かなくてもよく、この場合はＤｓ＝Ｄｏとなる。
【００２４】
この後、モード切換えスイッチ５３を操作して、マイクロコンピュータ３５を「実釣モード」から「データ入力モード」に切り換える（ステップＳ２）。マイクロコンピュータ３５は、モード切換えスイッチ５３の操作で、「実釣モード」と「データ入力モード」とに交互に切換え可能で、選択したモードに応じ、表示器４９に「実釣」または「入力」の文字が表示されるようになっている。
【００２５】
次いで、釣人が上糸４３を所定糸長Ｔ1（例えば、Ｔ1＝１０ｍ）を巻き取ってリセットスイッチ５５を２秒以上押すと（ステップＳ３，４）、マイクロコンピュータ３５（ＣＰＵ３９）は、糸長計算式[4]と所定糸長Ｔ1（１０ｍ）だけ巻き取った際に検出されたスプール回転数Ｎｓから、Ｎａ＝Ｎｅ＝ＮｓとしてＬ＝Ｔ1で式[5]をたてる（ステップＳ５）。
【００２６】
そして、上糸４３の残りを総て巻き取ってリセットスイッチ５５を２秒以上押すと（ステップＳ６，７）、スプール総回転数Ｎｅが決定する（ステップＳ８）。
この後、上糸４３の巻き終わり位置から所定糸長Ｔ2（同じくＴ2＝１０ｍ）を繰り出してリセットスイッチ５５を２秒以上押すと（ステップＳ９，１０）、ＣＰＵ３９は、糸長計算式[4]と所定糸長Ｔ2（１０ｍ）だけ繰り出した際に検出されたスプール回転数Ｎｆから、Ｎａ＝ＮｆとしてＬ＝Ｔ2で式[6]をたてる（ステップＳ１１）。
【００２７】
そして、マイクロコンピュータ３５（ＣＰＵ３９）は、式[5]，[6]を連立方程式で解くことで、糸長計算式[4]の未知数であるＮ，Ｄｓが算出されて糸長計算式[4]が決定し（ステップＳ１２）、ＲＡＭ５９に糸長計算式[4]が取り込まれることとなる（ステップＳ１３）。
本実施形態に係る魚釣用リール６７はこのように構成されているから、斯様にステップＳ１〜１３の手順を踏むことで、スプール１１に応じた糸長計算式[4]が決定される。
【００２８】
以後、「実釣モード」に於て、釣人がクラッチレバー１９を操作してクラッチ係合部１５とピニオン１７とのクラッチ係合を解除すると、スプール１１がスプールフリー状態となって上糸４３がスプール１１から繰り出され、また、斯かるスプールフリー状態でハンドル２１を釣糸巻取り方向へ回転操作すれば、スプール１１が巻取り可能状態に切り換わって、ハンドル２１の巻取りに伴い、上糸４３がスプール１１に巻き取られていく。
【００２９】
そして、この釣糸の繰出しや巻取りに伴い、ＣＰＵ３９は、回転検出手段２９から取り込まれる実釣時のスプール実回転数Ｎａを基に、決定された糸長計算式[4]で糸長Ｌを演算して表示器４９に表示させることとなる。
このように本実施形態は、釣糸の巻き始めとなるスプールの底径を基礎データとしていた従来の糸長計算式[1]を糸長計算式[4]の如く読み替えて、任意の上糸糸巻き始め径（任意の下糸糸巻き終わり径）から糸長計算式[4]のデータ入力を可能としたので、形状の異なるスプールに交換したり、下糸を巻回したりエコノマイザーを装着した場合等でも使用可能で、あらゆるスプール条件に対応した糸長計測が１つの魚釣用リールで可能である。
【００３０】
尚、上記実施形態では、
Ｎｆ：ＮｅからＴ2ｍｍ繰り出すのに要するスプール回転数
としたが、これを、
Ｎｆ：Ｎｅから更にＴ2ｍｍ追加の巻取りをするのに要するスプール回転数
と設定してもよい。
【００３１】
次に、請求項２に係る発明の一実施形態を図５及び図６に基づいて説明する。
尚、前記実施形態と同一のものは同一符号を付してそれらの構造説明は省略する。
図５は請求項２の一実施形態に係る魚釣用リールに装着した糸長計測装置の構成図を示し、マイクロコンピュータ６９のＲＯＭ７１には、既述した糸長計算式[4]と同一の糸長計算式[7]が格納されている。
【００３２】
Ｌ＝＋π（Ｄｓ＋２ＨＮｅ／Ｎ）Ｎａ−πＨ／Ｎ×Ｎａ2 ・・・[7]
そして、この糸長計算式[7]に於て、
Ｌ：糸長（ｍｍ）
Ｈ：規定線高さ（ｍｍ）＝初期設定（便宜上の値）
Ｎａ：実釣時のスプール実回転数
Ｎｅ：上糸４３全部を巻くのに要するスプール総回転数
Ｄｓ：上糸４３の糸巻き始め径（ｍｍ）
Ｎｓ：ＮｅからＴｍｍ繰り出すのに要するスプール回転数
Ｎｆ：Ｎｅから2・Ｔｍｍ繰り出すのに要するスプール回転数
Ｔ，2・Ｔ：Ｎｓ，Ｎｆを決定するための所定糸長（ｍｍ）
Ｎ：規定線まで上糸４３を巻いたときのスプール回転数
を示し、前記実施形態の糸長計算式[4]とＮｓ，Ｎｆの設定を異にする。
【００３３】
しかし、本実施形態に於ても、Ｎｅ，Ｎｓ，Ｎｆは測定により入力する値であり、Ｈ，Ｔ，2・Ｔは事前に設定した値（スプール状態とは無関係な任意の値で可）を示し、Ｄｓ，Ｎはこれらの数値から算出される値である。また、図５中、Ｄｏはスプール１１の底径を示す。
次に、上記糸長計算式[7]へのデータ入力を、図６のフローチャートに基づいて説明する。
【００３４】
先ず、スプール１１に下糸を総て巻き取る（ステップＳ１４）。図５に示すように下糸を総て巻き終わった径が上糸４３の糸巻き始め径Ｄｓである。但し、下糸は巻かなくてもよく、この場合はＤｓ＝Ｄｏとなる。
この後、モード切換えスイッチ５３を操作して、マイクロコンピュータ６９を「実釣モード」から「データ入力モード」に切り換える（ステップＳ１５）。
【００３５】
本実施形態に於ても、マイクロコンピュータ６９は、モード切換えスイッチ５３の操作で、「実釣モード」と「データ入力モード」とに交互に切換え可能で、選択したモードに応じ、表示器４９に「実釣」または「入力」の文字が表示されるようになっている。
そして、釣人が上糸４３を総て巻き取ってリセットスイッチ５５を２秒以上押すと（ステップＳ１６，１７）、先ず、スプール総回転数Ｎｅが決定する（ステップＳ１８）。
【００３６】
次いで、上糸４３の巻き終わり位置から第１の所定糸長Ｔ（１０ｍ）だけ上糸４３を繰り出して、リセットスイッチ５５を２秒以上押すと（ステップＳ１９，２０）、ＣＰＵ３９は、糸長計算式[7]と所定糸長Ｔ（１０ｍ）を繰り出した際に検出されたスプール回転数Ｎｓから、Ｎａ＝ＮｓとしてＬ＝Ｔで式[8]をたてる（ステップＳ２１）。
この後、釣人が更に第２の所定糸長2・Ｔ（２０ｍ）を繰り出してリセットスイッチ５５を２秒以上押すと（ステップＳ２２，２３）、ＣＰＵ３９は、糸長計算式[7]と更に所定糸長2・Ｔ（２０ｍ）を繰り出した際に検出されたスプール回転数Ｎｆから、Ｎａ＝ＮｆとしてＬ＝2・Ｔで式[9]をたてる（ステップＳ２４）。
【００３７】
そして、マイクロコンピュータ６９（ＣＰＵ３９）は、式[8]，[9]を連立方程式で解くことで、糸長計算式[7]の未知数であるＮ，Ｄｓが算出されて糸長計算式[7]が決定し（ステップＳ２５）、ＲＡＭ５９に糸長計算式[7]が取り込まれることとなる（ステップＳ２６）。
本実施形態に係る魚釣用リールはこのように構成されているから、斯様にステップＳ１４〜２６の手順を踏むことで、スプール１１に応じた糸長計算式[7]が決定される。
【００３８】
以後、「実釣モード」に於て、釣人がクラッチレバー１９を操作してクラッチ係合部１５とピニオン１７とのクラッチ係合を解除すると、スプール１１がスプールフリー状態となって上糸４３がスプール１１から繰り出され、また、斯かるスプールフリー状態でハンドル２１を釣糸巻取り方向へ回転操作すれば、スプール１１が巻取り可能状態に切り換わって、ハンドル２１の巻取りに伴い、上糸４３がスプール１１に巻き取られていく。
【００３９】
そして、この釣糸の繰出しや巻取りに伴い、ＣＰＵ３９は、回転検出手段２９から取り込まれる実釣時のスプール実回転数Ｎａを基に、決定された糸長計算式[7]で糸長Ｌを演算して表示器４９に表示させることとなる。
このように本実施形態も、釣糸の巻き始めとなるスプールの底径を基礎データとしていた従来の糸長計算式[1]を糸長計算式[7]の如く読み替えて、任意の上糸糸巻き始め径（任意の下糸糸巻き終わり径）から糸長計算式[7]のデータ入力を可能としたので、形状の異なるスプールに交換したり、下糸を巻回したりエコノマイザーを装着した場合等でも使用可能で、あらゆるスプール条件に対応した糸長計測が１つの魚釣用リールで可能となる。
【図面の簡単な説明】
【００４０】
【図１】請求項１の一実施形態に係る魚釣用リールの平面図である。
【図２】請求項１の一実施形態に係る魚釣用リールに装着した糸長計測装置の全体構成図である。
【図３】従来のスプール回転数とこのスプールに巻かれた釣糸の巻外周径及び糸長の関係の説明図である。
【図４】糸長計測装置のデータ入力の手順を示すフローチャートである。
【図５】請求項２の一実施形態に係る魚釣用リールに装着した糸長計測装置の全体構成図である。
【図６】糸長計測装置のデータ入力の手順を示すフローチャートである。
【符号の説明】
【００４１】
７  リール本体
９  スプール軸
１１  スプール
１５  クラッチ係合部
１７  ピニオン
１９  クラッチレバー
２１  ハンドル
２３  ハンドル軸
２５  ドライブギヤ
２９  回転検出手段
３１  ホール素子
３３  マグネット
３５，６９  マイクロコンピュータ
３９  ＣＰＵ
４１  アップ・ダウンカウンタ
４３  上糸
４７  操作パネル
４９  表示器
５３  モード切換えスイッチ
５５  リセットスイッチ
６７  魚釣用リール                                                                              
【図１】
2006304650.tif 000003
【図２】
2006304650.tif 000004
【図３】
2006304650.tif 000005
【図４】
2006304650.tif 000006
【図５】
2006304650.tif 000007
【図６】
2006304650.tif 000008